(57)【要約】      （修正有）【課題】導電性ドラム基体とこれを支持する導電性シャフトとの導通状態が良好に維持されることで、良好な画像形成が安定的に行われ得る、電子写真感光体を提供する。【解決手段】電子写真感光体１は、感光ドラム２と、シャフト３と、導通板５と、を備えている。前記感光ドラムは、導電性の円筒状部材からなるドラム基体２１を備えている。前記シャフトは、金属からなる丸棒状のシャフト本体３１と、その外周面上に形成された金属被膜３２と、を備えている。前記導通板は、前記ドラム基体の内周面と係合する係合部と、前記シャフトの外周面と弾性的に接触する接点部５３と、を備え、前記係合部を介して前記感光ドラムに固定され、前記係合部及び前記接点部を介して前記ドラム基体と前記シャフトとの導通を形成する。前記金属被膜は、前記シャフト本体の主成分よりもイオン化傾向が高い材質からなる。【選択図】図１
0003167178.tif 000002
【実用新案登録請求の範囲】
【請求項１】
導電性の円筒状部材からなるドラム基体と、そのドラム基体の外周に形成された感光体層と、を備えた、感光ドラムと、
前記ドラム基体の中心軸線上に設けられたシャフトと、
前記ドラム基体の内周面と係合する係合部と、前記シャフトの外周面と弾性的に接触する接点部と、を備え、前記係合部を介して前記感光ドラムに固定されるとともに当該係合部及び前記接点部を介して前記ドラム基体と前記シャフトとの導通を形成するように構成された、導通板と、
を備えた、電子写真感光体であって、
前記シャフトは、
金属からなる丸棒状のシャフト本体と、
前記シャフト本体の外周面上に形成された金属被膜と、
を備え、
前記金属被膜は、前記接点部における前記シャフトと対向する表面を構成する材質と同じ材質からなることを特徴とする、電子写真感光体。
【請求項２】
請求項１に記載の、電子写真感光体であって、
前記導通板は、同一材質により一体に形成されていることを特徴とする、電子写真感光体。
【請求項３】
請求項１又は請求項２に記載の、電子写真感光体であって、
前記材質はニッケルであることを特徴とする、電子写真感光体。
【請求項４】
請求項１又は請求項２に記載の、電子写真感光体であって、
前記材質は銅であることを特徴とする、電子写真感光体。
【請求項５】
請求項３又は請求項４に記載の、電子写真感光体であって、
前記金属被膜は、メッキによって形成されたことを特徴とする、電子写真感光体。
【請求項６】
導電性の円筒状部材からなるドラム基体と、そのドラム基体の外周に形成された感光体層と、を備えた、感光ドラムと、
前記ドラム基体の中心軸線上に設けられたシャフトと、
前記ドラム基体の内周面と係合する係合部と、前記シャフトの外周面と弾性的に接触する接点部と、を備え、前記係合部を介して前記感光ドラムに固定されるとともに当該係合部及び前記接点部を介して前記ドラム基体と前記シャフトとの導通を形成するように構成された、導通板と、
を備えた、電子写真感光体であって、
前記導通板は、リン青銅により一体に形成され、
前記シャフトは、
金属からなる丸棒状のシャフト本体と、
前記シャフト本体の外周面上に形成された、銅からなる金属被膜と、
を備えたことを特徴とする、電子写真感光体。
【請求項７】
請求項６に記載の、電子写真感光体であって、
前記金属被膜は、メッキによって形成されたことを特徴とする、電子写真感光体。
【請求項８】
請求項１ないし請求項７のうちのいずれか１項に記載の、電子写真感光体であって、
前記シャフト本体は、ステンレス鋼からなることを特徴とする、電子写真感光体。
【考案の詳細な説明】
【技術分野】
【０００１】
本考案は、電子写真感光体に関する。
【背景技術】
【０００２】
電子写真方式の画像形成装置（複写機、プリンタ、ファクシミリ）に用いられる電子写真感光体であって、当該画像形成装置の本体に着脱自在なプロセスカートリッジに内蔵されるものは、通常、比較的小径の円筒状に形成されている。このような電子写真感光体は、導電性の材質からなる円筒状のドラム基体（例えばアルミニウム管）の外周に感光体層を形成するとともに、当該ドラム基体の両端にフランジを装着することによって構成されている。一対の前記フランジの一方には、当該電子写真感光体を回転駆動するためのギヤが形成されている。
【０００３】
このような構成の電子写真感光体においては、重量やコストの関係から、前記フランジとして、合成樹脂製のものが広く用いられている。ここで、電子写真プロセスにおいては、前記ドラム基体は、接地等のために前記本体と電気的に接続される必要がある。このため、この種の電子写真感光体には、合成樹脂製の前記フランジの軸中心を挿通する導電性のシャフトと、このシャフトと前記ドラム基体とに対して接点を有する導通板（アース板）と、が設けられている。
【０００４】
具体的には、前記導通板は、通常、略円板状に形成されていて、前記フランジとともに、前記ドラム基体の端部における内側に、圧入、嵌合されている。この導通板の、外周部には前記ドラム基体と接触するための突起部が設けられ、中心部には前記シャフトを挿通するための貫通孔が設けられている。また、この導通板には、前記貫通孔に挿通された前記シャフトの外周面と弾性的に接触する舌片状の接点部が設けられている。
【０００５】
上述のような構成は、例えば、特開平１０−２０７２９１号公報、特開平１０−２０７２９１号公報、特開２００２−９１２３４号公報、特開２００４−１０２２７０号公報、特開２００６−７２０３９号公報、等に開示されている。
【特許文献１】特開平１０−２０７２９１号公報
【特許文献２】特開平１０−２４０１０３号公報
【特許文献３】特開２００２−９１２３４号公報
【特許文献４】特開２００４−１０２２７０号公報
【特許文献５】特開２００６−７２０３９号公報
【考案の概要】
【考案が解決しようとする課題】
【０００６】
前記画像形成装置が比較的長時間運転された場合、前記シャフトと前記導通板における前記接点部との接触による、前記ドラム基体と前記シャフトとの導通が、不安定になることがある。この導通の不安定化は、前記シャフトと前記接点部との接触部における、腐食による酸化物の生成等のために生じる。例えば、酸化物が前記シャフトに付着すると、前記電子写真感光体の回転周期（前記シャフトと前記接点部との相対的な回転の周期）毎に、主走査方向と平行なスジが、形成画像中に発生する。
【０００７】
本考案は、このような課題に対処するためになされたものである。すなわち、本考案の目的は、導電性ドラム基体とこれを支持する導電性シャフトとの導通状態が良好に維持されることで、良好な画像形成が安定的に行われ得る、電子写真感光体を提供することにある。
【課題を解決するための手段】
【０００８】
本考案の電子写真感光体は、感光ドラムと、シャフトと、導通板と、を備えている。
【０００９】
前記感光ドラムは、導電性の円筒状部材からなるドラム基体と、そのドラム基体の外周に形成された感光体層と、を備えている。
【００１０】
前記シャフトは、前記ドラム基体の中心軸線上に設けられている。このシャフトは、金属からなる丸棒状のシャフト本体と、前記シャフト本体の外周面上に形成された金属被膜と、を備えている。前記金属被膜は、メッキ、塗布、蒸着、等の任意の方法によって形成され得る。もっとも、コスト、形成膜厚、平滑度、等を考慮すると、前記金属被膜はメッキにより形成されることが好適である。
【００１１】
前記導通板は、前記ドラム基体の内周面と係合する係合部と、前記シャフトの外周面と弾性的に接触する接点部と、を備えている。この導通板は、前記係合部を介して前記感光ドラムに固定されていて、前記係合部及び前記接点部を介して前記ドラム基体と前記シャフトとの導通を形成するように構成されている。この導通板は、板状の金属に対してプレス加工や放電加工（ワイヤカット加工）等を施すことによって、同一材質により継ぎ目なく一体に形成され得る。
【００１２】
本考案の特徴は、前記金属被膜の材質が、前記接点部における前記シャフトと対向する表面を構成する材質と同じ主成分からなることにある。例えば、前記金属被膜は、前記接点部における前記シャフトと対向する表面を構成する材質と同じ材質によって構成され得る。具体的には、前記接点部における前記表面を構成する材質がニッケルである場合、前記金属被膜はニッケルから構成され得る。あるいは、前記接点部における前記表面を構成する材質が銅である場合、前記金属被膜は銅から構成され得る。あるいは、前記導通板がリン青銅により一体に形成されている場合、前記金属被膜は銅から構成され得る。
【考案の効果】
【００１３】
かかる構成においては、画像形成プロセスの実行時に、前記導通板における前記接点部が、前記シャフトの前記外周面（前記金属被膜）と摺動しつつ接触することで、前記ドラム基体と前記シャフトとの導通が図られ、例えば、前記ドラム基体が接地される。
【００１４】
ここで、本考案においては、前記金属被膜が、前記接点部における前記シャフトと対向する表面を構成する材質と同じ主成分の材質（典型的には同材質）によって構成されている。これにより、両者の接触部における導通状態が良好に維持される。したがって、本考案によれば、良好な画像形成が安定的に行われ得る。
【図面の簡単な説明】
【００１５】
【図１】本考案の一実施形態である電子写真感光体の要部構成を示す、一部拡大断面図である。
【考案を実施するための形態】
【００１６】
以下、本考案の実施形態（本願の出願時点において取り敢えず出願人が最良と考えている実施形態）について、図面を参照しつつ説明する。
【００１７】
なお、以下の実施形態に関する記載は、法令で要求されている明細書の記載要件（記述要件・実施可能要件）を満たすために、本考案の具体化の単なる一例を、可能な範囲で具体的に記述しているものにすぎない。よって、後述するように、本考案が、以下に説明する実施形態の具体的構成に何ら限定されるものではないことは、全く当然である。本実施形態に対して施され得る各種の変更（modification）は、当該実施形態の説明中に挿入されると、一貫した実施形態の説明の理解が妨げられるので、末尾にまとめて記載されている。
【００１８】
＜電子写真感光体の構成＞
図１は、本考案の一実施形態である電子写真感光体１の要部構成を示す、一部拡大断面図である。以下、図１を参照すると、この電子写真感光体１は、感光ドラム２と、シャフト３と、フランジ４と、導通板５と、を備えている。
【００１９】
感光ドラム２は、アルミニウム製の円筒管状部材からなるドラム基体２１と、そのドラム基体２１の外周に形成された感光体層２２と、を備えている。
【００２０】
シャフト３は、ドラム基体２１の中心軸線上に設けられている。このシャフト３は、ステンレス鋼からなる丸棒状のシャフト本体３１と、このシャフト本体３１の外周面上に形成された金属被膜３２と、を備えている。金属被膜３２は、シャフト３と導通板５との接触による導通状態を良好にするために形成されている。
【００２１】
フランジ４は、合成樹脂からなる略円柱状の部材であって、感光ドラム２の一端部における内径と嵌め合いの関係にある小径部４１と、この小径部４１及び感光ドラム２よりも外径が大きい大径部４２と、から構成されている。フランジ４は、小径部４１が感光ドラム２の前記一端部に嵌め込まれることで、感光ドラム２に固定されている。大径部４２には、感光ドラム２及びフランジ４を上述の中心軸線を中心として回転駆動するためのギヤ４２ａが形成されている。
【００２２】
また、フランジ４には、シャフト３が挿通されるように、当該シャフト３の外径よりも若干大きい内径を有する貫通孔４３が形成されている。この貫通孔４３は、その中心軸線が、感光ドラム２（ドラム基体２１）の上述の中心軸線と一致するように設けられている。
【００２３】
導通板５は、平面視にて略円板状の部材であって、継ぎ目なく一体に成形されている。この導通板５の中心部には、シャフト３を挿通するための貫通孔５１が形成されている。
【００２４】
導通板５の外周部には、本考案の係合部に相当する、複数の係合突起部５２が設けられている。これらの係合突起部５２は、導通板５が、フランジ４における小径部４１の端面に固定された状態で、当該小径部４１とともに感光ドラム２の前記一端部に嵌め込まれた際に、弾性変形しつつドラム基体２１の内周面と係合するようになっている。
【００２５】
また、導通板５における、貫通孔５１の近傍位置には、舌片状の接点部５３が設けられている。接点部５３は、フランジ４及び導通板５が感光ドラム２に組み付けられた状態でシャフト３が貫通孔４３及び５１に挿通された際に、シャフト３の外周面と弾性的に接触するように、導通板５の本体部から突出した板バネ状に構成されている。この接点部５３は、プレス加工によって形成された舌片を曲げ加工することで形成されている。
【００２６】
このように、導通板５は、係合突起部５２を介して感光ドラム２に固定されていて、係合突起部５２及び接点部５３を介して、ドラム基体２１とシャフト３との導通を形成するように構成されている。
【００２７】
＜第一実施形態の構成＞
本実施形態においては、金属被膜３２は、銅メッキによって形成されている。また、導通板５は、プレス加工で打ち抜かれたステンレス板に銅メッキを施すことによって形成されている。
【００２８】
＜第一実施形態の構成による効果＞
かかる構成を有する電子写真感光体１においては、画像形成プロセスの実行時に、感光ドラム２がシャフト３に対して相対的に回転すると、導通板５における接点部５３が、シャフト３の外周面を構成する金属被膜３２の表面と接触しつつ摺動する。
【００２９】
このとき、本実施形態における金属被膜３２と、接点部５３とは、ともに表面が銅である。このため、異種金属同士の接触部とは異なり、両者の接触部における腐食が発生しにくい。また、摺動により一方のみが磨耗すること（特にシャフト３における金属被膜３２のみが一方的に磨耗してシャフト本体３１の外周面（ステンレス鋼の表面）が露出すること）が、効果的に抑制される。これにより、シャフト３と接点部５３との摺動部における酸化皮膜の形成、及びかかる酸化皮膜の形成による導通不安定状態の発生が、効果的に抑制される。
【００３０】
このように、本実施形態の構成によれば、シャフト３と接点部５３との接触安定性、すなわち、ドラム基体２１とシャフト３との安定した導通状態が、良好に維持される。
【００３１】
＜第二実施形態の構成＞
本実施形態においては、金属被膜３２は、銅メッキによって形成されている。また、導通板５は、プレス加工で打ち抜かれたリン青銅の板材からなる。
【００３２】
＜第二実施形態の構成による効果＞
かかる構成においては、金属被膜３２を構成する材質と、接点部５３の表面を構成する材質の主成分が、ともに銅である。このため、両者の接触部における腐食が発生しにくい。これにより、上述と同様に効果が得られる。
【００３３】
＜変形例＞
なお、上述の実施形態は、上述した通り、出願人が取り敢えず本願の出願時点において最良であると考えた本考案の代表的な実施形態を単に例示したものにすぎない。よって、本考案はもとより上述の実施形態に何ら限定されるものではない。したがって、本考案の本質的部分を変更しない範囲内において、上述の実施形態に対して種々の変形が施され得ることは、当然である。
【００３４】
以下、代表的な変形例について、幾つか例示する。もっとも、言うまでもなく、変形例とて、以下に列挙されたものに限定されるものではない。また、複数の実施形態や変形例の、全部又は一部が、技術的に矛盾しない範囲内において、適宜、互いに複合的に適用され得る。
【００３５】
本考案（特に、本考案の課題を解決するための手段を構成する各構成要素における、作用的・機能的に表現されているもの）は、上述の実施形態や、下記変形例の記載に基づいて限定解釈されてはならない。このような限定解釈は、（先願主義の下で出願を急ぐ）出願人の利益を不当に害する反面、模倣者を不当に利するものであって、許されない。
【００３６】
（１）本考案は、上述の実施形態にて開示された具体的構成に限定されるものではない。例えば、フランジ４の形状や、接点部５３の材質・形状・数についても、特に限定はない。
【００３７】
（２）第一実施形態において、導通板５における銅メッキは、接点部５３におけるシャフト３と対向する表面にのみ設けられていれば充分であるが、加工コストの関係からは、導通板５の表面全体に銅メッキが施されることが好適である。
【００３８】
また、第一実施形態において、導通板５は、銅あるいは銅合金（例えばリン青銅）の板材によって形成されていてもよい。この場合、導通板５の（少なくとも接点部５３における上述の表面の）銅メッキは、省略され得る。
【００３９】
（３）金属被膜３２は、メッキ以外の、利用可能なあらゆる方法（塗布、蒸着等）で形成され得る。
【００４０】
（４）その他、特段に言及されていない変形例についても、本考案の本質的部分を変更しない範囲内において、本考案の範囲内に含まれることは当然である。
【００４１】
また、本考案の課題を解決するための手段を構成する各要素における、作用・機能的に表現されている要素は、上述の実施形態や変形例にて開示されている具体的構造の他、当該作用・機能を実現可能ないかなる構造をも含む。
【符号の説明】
【００４２】
１    …  電子写真感光体
２    …  感光ドラム
２１  …  ドラム基体
２２  …  感光体層
３    …  シャフト
３１  …  シャフト本体
３２  …  金属被膜
４    …  フランジ
４１  …  小径部
４２  …  大径部
４２ａ…  ギヤ
４３  …  貫通孔
５    …  導通板
５１  …  貫通孔
５２  …  係合突起部
５３  …  接点部
【図１】
0003167178.tif 000003